(57)【要約】【課題】  簡単な製造及搬入ができ、種々の残像効果を利用したファンタステックな形状、形態の暫時像を形成して人の目を楽しませることができ、特に、シャボン玉様の暫時像などを忠実に表出することができる暫時像表出スティック玩具を提供。【解決手段】  本考案の回転操作式スティックは、スティックと、該スティックの先端部に固定される第１の結束部材と、中心部に孔を有し、該孔にスティックが挿通された状態で、該スティック軸に対して移動可能に取り付けられる第２の結束部材と、第１の結束部材と第２の結束部材との間に配せられる屈曲可能で腰のある複数の帯状部材であって、該両端部のそれぞれが両結束部材のそれぞれに取り付けられている複数の帯状部材とからなることを特徴とする。【選択図】図１
0003116440.tif 000002
【実用新案登録請求の範囲】
【請求項１】
スティックと、該スティックに固定される第１の結束部材と、中心部に孔を有し、該孔にスティックが挿通された状態で、該スティック軸に対して移動可能に取り付けられる第２の結束部材と、第１の結束部材と第２の結束部材との間に配せられる屈曲可能で腰のある複数の帯状部材であって、該両端部のそれぞれが両結束部材のそれぞれに取り付けられている複数の帯状部材とからなることを特徴とする暫時像表出スティック玩具。
【請求項２】
上記複数の帯状部材は８〜３６本である請求項１に記載の暫時像表出スティック玩具。
【請求項３】
該帯状部材面の一部又は全部が光反射面となっている請求項１に記載の暫時像表出スティック玩具。
【請求項４】
該帯状部材は屈曲可能で腰のある樹脂フィルム及び／又は金属箔からなる請求項３に記載の暫時像表出スティック玩具。
【請求項５】
上記複数の帯状部材面の色は虹の７色の少なくとも１色からなる請求項３又は４に記載の暫時像表出スティック玩具。
【考案の詳細な説明】
【技術分野】
【０００１】
本考案は、遊園地、催し物会場等の人が集まる場所で、子供達が目を引く玩具に関するものであり、より詳細には、手などでスティックを回転させて種々の残像効果によるファンタステックな（風変わりな）暫時像、特に、実際のシャボン玉のような暫時像を表出させることのできる暫時像表出スティック玩具に関する。
【背景技術】
【０００２】
従来、手等の回転操作などにより、ファンタステックな画像、映像を出すような玩具は種々提案されている。例えば、内部に形成される幾何学模様の像の変化を一層多様化して、鑑賞者に斬新な印像を与え続けることができる万華鏡などが提案されている（例えば、特許文献１、及び２参照）。また、手で扇ぐことによって、文字、記号や図形が恰も空中に現れるよう見える空中残像顕出式団扇（例えば、特許文献３参照）や、透明円筒体を転がして残像を大きく見せる虚像表示装置使用の玩具等がある（例えば、特許文献４）。
【特許文献１】実開平０７−０３９１４号公報
【特許文献２】実用第３０９８１３９号公報
【特許文献３】実用第３０８１８１１号公報
【特許文献４】実用第３０５０４１４号公報
【考案の開示】
【考案が解決しようとする課題】
【０００３】
しかしながら、これらの手操作による玩具は、ある程度のファンタステックな画像、及び暫時像を提供してくれるが、簡単に製造することができず、また遊園地、催し物会場等で簡単に搬入できない場合がある。
本考案は、斯かる実情に鑑み、簡単な製造及搬入ができ、種々の残像効果を利用したファンタステックな形状、形態の暫時像を形成して人の目を楽しませることができ、特に、シャボン玉様の暫時像などを忠実に表出することができる暫時像表出スティック玩具を提供しようとするものである。
【課題を解決するための手段】
【０００４】
本考案者等は、樹脂フィルムを帯状又はリボン状に所定長さに裁断して複数用意し、また円盤等の板材からなる一対の結束部材に帯状部材の両端部を取り付け、第１の結束部材をスティックの軸に対して固定して取り付け、第２の結束部材をスティックの軸方向に移動可能に取り付けるだけの簡単な回転操作式のスティックを手で操作すると、以外にも残像効果によるファンタステックな形状、或いは形態の暫時像が現れること、特に帯状フィルムの表面を光反射するラメ構造等とすることによって虹色のシャボン玉様の暫時像が得られること、を見出したものである。
即ち、本考案は以下の構成又は構造を特徴とするものである。
上記手段によれば、以下のような作用が得られる。
【０００５】
本考案の回転操作式スティックは、スティックと、該スティックに固定される第１の結束部材と、中心部に孔を有し、該孔にスティックが挿通された状態で、該スティック軸に対して移動可能に取り付けられる第２の結束部材と、第１の結束部材と第２の結束部材との間に配せられる屈曲可能で腰のある複数の帯状部材であって、該両端部のそれぞれが両結束部材に取り付けられている複数の帯状部材とからなることを特徴とする。
上記複数の帯状部材は８〜３６本であることが好ましい。
上記帯状部材面の一部又は全部が光反射面となっていることが好ましい。
上記帯状部材は屈曲可能で腰のある樹脂フィルム及び／又は金属箔からなることが好ましい。
上記複数の帯状部材面の色は虹の７色の少なくとも１色からなるものであって良い。
【考案の効果】
【０００６】
本考案の暫時像表出スティック玩具によれば、製造が簡単であり、また手での回転操作次第で、シャボン玉、ダルマ、線香花火、クラゲ、花、蛸、ヨーヨー、ぼんぼり等の多種多様なファンタステックな形状、形態を表出させることができる。
【考案を実施するための最良の形態】
【０００７】
以下、本考案の実施の形態を添付図面を参照して説明する。
図１及び図２は、本考案に係る暫時像表出スティック玩具を示す図である。図１及び図２に示すように、暫時像表出スティック玩具１は、スティック２と、スティック２の先端に固定される円盤状の第１の結束部材３と、中心部に孔４を有し、孔４にスティック２が挿通された状態で、スティック軸に対して移動可能に取り付けられる第２の結束部材５と、第１の結束部材３と第２との結束部材５の間に配せられる屈曲可能で腰のある複数の帯状部材６であって、両結束部材３，５に該帯状部材の両端部のそれぞれが取り付けられている複数の帯状部材６とからなる。
【０００８】
即ち、具体的に説明すると、暫時像表出スティック玩具１は、先ず、主に手等で回転操作、場合によっては上下動操作する為の柄となるスティック２を有する。スティック２は木製、樹脂製、金属製でも良く、好ましくは木製或いは成形加工した樹脂製である。スティック２の長さは特に限定する必要はないが、子供の手で扱える程度のものを考慮すれば、大型傘等の３ｍ以下、特に１ｍ以下のものが好ましく、また機能を考えた場合には、１０ｃｍ以上であることが好ましい。また、スティック２の太さも特に限定される必要はないが、スティック２の断面形状は手の平などで回転し易いように円形状であることが好ましい。
【０００９】
第１の結束部材３及び第２の結束部材５の形状は、本態様のようにレンズ面様（弱い曲面）の湾曲円盤状である必要はなく、後述の帯状部材４の各端部面と張り合わせ容易な所定付着面を有するものが良く、その形状が平坦面で、且つ矩形状、三角形状、楕円形状、星形形状であっても良い。また、結束部材３、５の材質は、その盤面が非屈曲、或いは難屈曲であること、即ち、帯状部材４のように可撓性で屈曲弾性を有しなく良く、厚紙、プラスチック片、或いは金属片などであっても良い。具体的には、プラスチック及び厚紙等の円盤片を挙げることができる。
【００１０】
第１の結束部材３はスティック２の先端に取り付けられる。第１の結束部材３は、その湾曲円盤面をステッィク２の軸に対してほぼ半径方向にほぼ沿って取り付けることが好ましい。結束部材３の円盤面が半径方向に沿って取り付けられないと、それに合わせて付着される複数の帯状部材４は、互いに不均一な取り付けとなり、いびつな回転をして好ましくない。尚、第１の結束部材はスティック２の先端の位置に正確に取り付ける必要はなく、その端部から外れたスティックの中間に取り付けられていても良い。
第２の結束部材５のほぼ中央部は開口され、挿通孔６が設けられる。挿通孔６にスティック２が遊嵌挿通され、第２の結束部材５は、スティック２の軸方向に自在に移動可能となっている。
【００１１】
帯状部材４は、リボン、或いは短冊状の薄片からなる。帯状部材４は屈曲可能である程度の腰を有するものである。帯状部材４の幅及び厚みは、その全体で使用される帯状部材の数、帯状部材の材質（腰の強さ）、帯状部材の長さに応じて適宜選択される。帯状部材４の長さは、暫時像表出スティック玩具の大きさに応じて適宜選択されるものである。
【００１２】
このような帯状部材４の材質としては、腰のある紙、樹脂フィルム、金属箔、及びこれらのラミネート（積層体）を挙げることができる。特に、樹脂フィルムとしては、ポリエチレン、ポリプロピレン、スチレン、ポリエステル、塩ビなどの汎用樹脂フィルムを挙げることができる。金属箔としてはアルミニウム箔が挙げられ、積層する場合には、アルミニウム等の金属を蒸着させても良い。また、帯状部材４面は残像効果を与える暫時像を形成する部分である。このため、帯状部材面の一部又は全部が光反射面となっていても良く、むしろ好ましい場合がある。例えば、帯状部材面が金色、銀色、及び虹色のカラー光反射面として形成されている場合には、そのスティック２の操作によって、天然色のシャボン玉のような球体を暫時像として表現することができる。従って、上記樹脂フィルムにあっては金属蒸着、或いは箔をラミネートしたフィルムなどの使用が好ましい。
【００１３】
帯状部材４の両端部のそれぞれは、第１の結束部材３と第２の結束部材５に取り付けられる。従って、帯状部材４は、第１の結束部材３と第２の結束部材５との間に配される。図１及び図２に示すように、結束部材３、５は上述したように円盤片からなり、円盤片は２枚が張り合わさって１つになっており、各帯状部材４の端部は、これらの２枚の張り合わせ面の間に挿入されて面方向を一致させて取り付けられている。これは、帯状部材４が結束部材を介してスティックの軸を鉛直方向とした場合に端部がほぼ直角に向き、その面を水平方向に整列させた状態として取り付けられることとなる。尚、実際においては、各帯状部材４は腰を有することから端部に曲がりが生じて垂れて直角とはならず、図３に見られるように円形状でなく瓜形形状が静置状態となる。
【００１４】
帯状部材４は複数設けられ、図１の１２本、図３の２４本と、その数においては適宜選択するが、好ましくは８〜３６本の範囲である。帯状部材４の数が８本未満では、スティック２を回転させたとき、帯状部材４が残像効果を示さず、部材４同士の形状が組み合わさって不自然な像に見える。一方、帯状部材４の数が３６本を超えると、帯状部材４同士が絡み易くなる。
複数の帯状部材４の各端部は結束部材３、４に等間隔に均一にして取り付けることが好ましい。等間隔取り付けられていないと、いびつなむらが生じやすくなり、場合によっては好ましくない暫時像となる。
【００１５】
以上の如く構成された本実施形態の暫時像表出スティック玩具にあっては、スティック２を基本的な回転操作を行った場合に、図４のような半透明な球体の暫時像が表出される。これは、スティック２を図４に示すように矢印Ａの方向に回転することによって、帯状部材４の中央部が遠心力によって、矢印Ｃの方向に引っ張られ、結束部材５が上方方向Ｂに浮き上がり、ほぼ半透明な球形状の暫時像が現れる。この場合、帯状部材４が虹の七色の光反射面を有していれば、自然に七色天然色のシャボン玉様の像が生じ、視覚を驚かせる。
また、上記矢印Ａの回転操作を早く、又は瞬間に逆回転させると、図５に示すように、第１の結束部材３に比べて、スティック２に対して自由端である第２の結束部材５が回転遅延を起こし、ダルマ形状の像が生じて、これも視覚を驚かせる。
【００１６】
このような形態、形状以外のモノとしては、第１の結束部材３が取り付けられるスティック２の先端を下向きにして、スティック２を小刻みに振動せると、線香花火の像が生じ、スティック２を下に向け、第１の結束部材３の中央部を保持しながらゆっくり回転させると、赤ちゃんクラゲの像が生じ、また、第１の結束部材３を上にしてスティック２を保持して、第２の結束部材５を上に押し上げ保持させながら回転させると、皿回しの像となり、更に、操作を工夫することにより、卵、花、太鼓、ワイングラス、蛸、ヨーヨー、ぼんぼり、及びＵＦＯと言った像が生じる。
尚、本考案の暫時像表出スティック玩具は、上記した実施の形態に限定されるものではなく、本考案の要旨を逸脱しない範囲内において種々変更を加え得ることは勿論である。
【産業上の利用可能性】
【００１７】
本考案の暫時像表出スティック玩具は、その製造が簡単であり、また使用時の搬送、その他の取り扱いも容易にでき、性能としては従来のものとは遜色なくファンタステックな形状、形態の暫時像を表出させることができ、産業上利用可能性の高いものである。
【図面の簡単な説明】
【００１８】
【図１】図１は、暫時像表出スティック玩具を上方から見た図である。
【図２】図２は、暫時像表出スティック玩具を下方から見た図である。
【図３】図３は、別の態様を示した暫時像表出スティック玩具の斜視図である。
【図４】図４は、暫時像表出スティック玩具を基本的な回転をさせた時に生じるシャボン玉様の形態を示す図である。
【図５】図５は、暫時像表出スティック玩具を応用的な回転をさせた時に生じるダルマ様の形態を示す図である。
【符号の説明】
【００１９】
１    暫時像表出スティック玩具
２    スティック
３    第１結束部材
４    帯状部材
５    第２結束部材
６    挿通孔
【図１】
0003116440.tif 000003
【図２】
0003116440.tif 000004
【図３】
0003116440.tif 000005
【図４】
0003116440.tif 000006
【図５】
0003116440.tif 000007